(57)【要約】【課題】  桁の傾斜角度が変わる場合にも同種の部材を用いて施工でき且つ施工が容易な階段を提供する。【解決手段】  本発明の階段１は、桁３と、ステップ受け５と、踏板７とを備え、桁３は上面３ａに２条の突条９、９を長手方向に有し、２条の突条９、９と突条間に位置する桁の上面３ａとで嵌合溝１１を形成しており、ステップ受け５は上端５ａが開口する空間を内部に有しており且つ上端５ａを所定角度で切断してあり、下端部を嵌合溝１１に嵌合して突条９に固着具８により固定してあり、踏板７は下面７ｂに取付けた嵌合具１３を嵌合具１３をステップ受け５の上端５ａから内部空間１４に嵌合してステップ受け７に固着具１７で固定してある。【選択図】      図１
2006265991.tif 000002
【特許請求の範囲】
【請求項１】
桁と、ステップ受けと、踏板とを備え、桁は上面に２条の突条を長手方向に有し、２条の突条と突条間に位置する桁の上面とで嵌合溝を形成しており、ステップ受けは上端が開口する空間を内部に有しており且つ上端を所定角度で切断してあり、下端部を嵌合溝に嵌合して突条に固着具により固定してあり、踏板は下面に取付けた嵌合具を有し、嵌合具をステップ受けの上端から内部空間に嵌合してステップ受けに固着具で固定してあることを特徴とする階段。
【発明の詳細な説明】
【技術分野】
【０００１】
本発明は、建物に設置される階段に関する。
【背景技術】
【０００２】
特許文献１には、桁の上面に縦断面略Ｌ字を成すステップ受けを固定して、ステップ受けに踏板を固着具で固定することが開示されている（第１の従来技術）。
また、特許文献１には、踏板の後端を桁の上面に設けたステップ受けに回動自在に軸支し、踏板の前端を下隣の踏板の上面に固定すると共に、ステップ受けは桁の上面を移動して位置調整すると共に踏板の前端は取付け高さを調整して固定することが開示されている（第２の従来技術）。
【０００３】
【特許文献１】特開平９−１４４２５９号公報
【発明の開示】
【発明が解決しようとする課題】
【０００４】
しかし、第１の従来技術では、桁の傾斜角度が変わる場合には、踏板を水平にする為にステップ受けの寸法を変える必要があり、桁の傾斜角度が変わる毎に、異なる種類のステップ受けを用意しなければならないという不都合がある。
第２の従来技術では、桁の傾斜角度が変わる場合には、一つ一つのステップ受けを桁の上面に移動して位置調整すると共に各踏板の前端の高さ調整する必要があるので、施工に手間がかかる。更に、施工手順が最下位置の踏板とステップ受けから順次上の踏板とステップ受けとを取付けることに限られているので、施工し難いという問題がある。
【０００５】
そこで、本発明は、桁の傾斜角度が変わる場合にも同種の部材を用いて施工でき且つ施工が容易な階段の提供を目的とする。
【課題を解決するための手段】
【０００６】
請求項１に記載の発明は、桁と、ステップ受けと、踏板とを備え、桁は上面に２条の突条を長手方向に有し、２条の突条と突条間に位置する桁の上面とで嵌合溝を形成しており、ステップ受けは上端が開口する空間を内部に有しており且つ上端を所定角度で切断してあり、下端部を嵌合溝に嵌合して突条に固着具により固定してあり、踏板は下面に取付けた嵌合具を有し、嵌合具をステップ受けの上端から内部空間に嵌合してステップ受けに固着具で固定してあることを特徴とする。
【発明の効果】
【０００７】
請求項１に記載の発明によれば、階段の施工は、桁を所定の角度に固定した後、ステップ受けの下端部を桁の嵌合溝に嵌めて固着具により突条に固定し、踏板の下面に取付けた嵌合具をステップ受け上端から内部空間内に嵌合してステップ受けに固着具で固定する。
桁の傾斜角度が変わる場合には、同種のステップ受けを用いて、ステップ受けを桁に固定したときに上端が水平になるように、上端を所定の角度に切断したものを用いる。したがって、本発明によれば、桁の傾斜角度が変わる場合にも、同種のステップ受けを用いて階段を施工することができる。
しかも、桁の傾斜角度が変わる場合には、上端の切断角度を変えたステップ受けを用いて桁の上面に固定すればよいので、施工現場で各踏板の傾斜を調整する作業が不要であるから、施工が容易である。
階段の施工は、最下位置の踏板から順次施工することに限られず、例えば、最上の踏板から施工することもでき、施工順序に制限がないから、施工性が良い。
また、施工現場で、ステップ受けの上端を切断して傾斜角度を調整することもできるので、施工現場での施工性が良い。
ステップ受けは、桁の嵌合溝に嵌めて位置決めした後にそのまま固着具により突条に固定できるので、ステップ受けの固定が容易にできる。
踏板は、下面取付けた嵌合具をステップ受けの内部空間内に上から嵌合するだけで位置決めでき、固定が容易にできる。
【０００８】
以下に、添付図面を参照して本発明の実施の形態を説明する。図１は本実施の形態にかかる階段の図であり、図１（ａ）は図２（ａ）の階段をＡ―Ａ位置で切断して示す断面図であり、図１（ｂ）は図１（ａ）のＢ―Ｂ断面図であり、図２（ａ）は本実施の形態にかかる階段の側面図であり、図２（ｂ）は図２（ａ）のＣ部を拡大して示す図であり、図３は本発明の実施の形態において、桁の傾斜角度が異なる階段を図１（ｂ）と同じ位置で切断して示す断面図である。尚、図１において、一点鎖線で抜き出して示すのは拡大図である。
図１に示すように、本実施の形態にかかる階段１は、桁３、３と、ステップ受け５と、踏板７とを備えている。各桁３は四角筒状の中空材であり、上面３ａに２条の突条９、９が各々桁３の長手方向に設けてあると共に、２条の突条９、９は間隔を開けて設けてある。２条の突条９、９と突条９、９間の桁の上面３ａで嵌合溝１１を形成している。
各突条９は縦断面が略コ字状を成しており、嵌合溝１１と反対側の側面が開口した溝状になっている。突条９の開口９ａは、長手方向に亘って目板１２を嵌めて塞がれている。
ステップ受け５は、上端５ａが開口する空間１４を内部に有しており、本実施の形態では、上端５ａと下端５ｃが開口した角パイプであり、押出形材で作られている。ステップ受け５の上端５ａは所定角度で切断してある。本実施の形態では、ステップ受け５の上端５ａは角度Ｓ（図１（ｂ）参照）で切断してあり、上端５ａを略水平にしている。
ステップ受け５の下端部５ｃは嵌合溝１１に嵌合しており、側面５ｂを突条９に固着具８で固定してある。本実施の形態では、固着具８はねじである。固着具８の頭は突条９の溝内に配置されており、固着具８の頭は目板１２により隠してある。
踏板７は、下面７ｂに嵌合具１３を止めてあり、踏板７の下面７ｂはステップ受け５の上端５ａに当接して配置している。嵌合具１３はステップ受け５の上端から中空内に嵌合してあり、ステップ受け５の側面に固着具１７で固定してある。嵌合具１３は縦断面が略コ字形状を成しており、踏板下面への取付部１３ａと、ステップ受け５の中空１４内に嵌合する嵌合部１３ｂとを有している。固着具１７は本実施の形態では、ねじである。
尚、本実施の形態にかかる階段１には、一側に支柱２１と、手摺２３とが設けてあり、支柱２１、２１間にはパネル３１が取付けてある。
【０００９】
次に、本実施の形態にかかる階段１の施工、作用効果について説明する。
階段１の施工は、桁３、３を所定の角度にして、床２０と階上の躯体２２とに固定した後、ステップ受け５の下端部５ｃを桁３の嵌合溝１１に嵌めて固着具８により突条９に固定する。尚、ステップ受け５の上端５ａは桁３の傾斜角度に応じて所定角度Ｓで予め切断しておく。
そして、踏板７の下面７ｂに嵌合具１３取付け、嵌合具１３をステップ受け５の上端から内部空間１４内に嵌合して、ステップ受け５の両側面５ｂ、５ｂに固着具１７で固定する。
一方、図３に示すように、上述した階段１と異なる傾斜の階段を施工する場合に、桁３の傾斜角度Ｔが異なる場合には、同種のステップ受け５を用いて、ステップ受け５を桁３に固定したときに上端５ａが水平になるように上端５ａを所定の角度Ｔに切断したものを用いる。
【００１０】
本実施の形態によれば、ステップ受け５は上端５ａを任意の角度に切断して用いており、桁３の傾斜角度が変わる場合には、上端５ａの傾斜角度を変えて切断したものを用いることにより、同種のステップ受け５を用いて階段１を施工することができる。
桁３の傾斜角度が変わる場合には、上端５ａの切断角度を変えたステップ受け５を用いて桁３の上面３ａに固定すればよいので、施工現場で各踏板７の傾斜を調整する作業が不要であるから、施工が容易である。
階段１の施工は、最下位置の踏板から順次施工することに限られず、例えば、最上の踏板から施工することもでき、施工順序に制限がないから、施工性が良い。
また、施工現場で、ステップ受けの上端を切断して傾斜角度を調整することもできるので、施工現場での施工性が良い。
ステップ受け５は、桁３の嵌合溝１１に嵌めて、固着具８により突条９に固定するので、位置決めした後にそのまま突条９に固定でき、ステップ受け５の固定が容易にできる。
踏板７は、下面７ｂに取付けた嵌合具１３をステップ受け５の内部空間１４内に上端から嵌合してステップ受けの側壁５ｂに固着具１７で固定するので、固定が容易にできる。
踏板７の下面７ｂはステップ受け５の上端５ａに当接しているから、踏板７の安定性が良い。
ステップ受け５は、上端５ａと下端５ｃが開口するパイプを用いて、パイプの中空１４内に嵌合具１３を嵌めているので、嵌合具１３が外側から見えず、外観が良い。
ステップ受け５には、押出形材を用いているので、製造が容易で且つ安価である。
突条９の側面にある開口を目板１２により塞がれているので、ステップ受けを突条９に固定している固着具８が外側から見えず、外観が良い。
【００１１】
本発明は、上述した実施の形態に限らず、本発明の要旨を逸脱しない範囲で種々変形可能である。
例えば、突条９は、縦断面略コ字形状に限らず、板状に形成したものであっても良い。
固着具８、１７は各々、ボルト等であっても良い。
階段１は屋内に施工するものであっても、屋外に施工するものであっても良い。
階段１には、支柱２１及び手摺２３がなくても良い。
【図面の簡単な説明】
【００１２】
【図１】本実施の形態にかかる階段の図であり、図１（ａ）は図２（ａ）の階段をＡ―Ａ位置で切断して示す断面図であり、図１（ｂ）は図１（ａ）のＢ―Ｂ断面図である。
【図２】図２（ａ）は本実施の形態にかかる階段の側面図であり、図２（ｂ）は図２（ａ）のＣ部を拡大して示す図である。
【図３】本発明の実施の形態において、図１に示す階段と桁の傾斜角度が異なる階段を図１（ｂ）と同じ位置で切断して示す断面図である。
【符号の説明】
【００１３】
１      階段
３      桁
３ａ    上面
５      ステップ受け
５ａ    上端
５ｃ    下端部
７      踏板
７ｂ    下面
８      固着具
９      突条
１１    嵌合溝
１３    嵌合具
１４    内部空間
１７    固着具
【図１】
2006265991.tif 000003
【図２】
2006265991.tif 000004
【図３】
2006265991.tif 000005